(57)【要約】【課題】ＬＥＤを光源とする棚下照明器具の棚下への設置が容易で、且つ下段に陳列された商品を効率よく照らす照明器具を提供することを課題とする。【解決手段】複数のＬＥＤを直線的に配設したテープ状のＬＥＤ基板の装着面をへの字型に形成すると共に、長手方向に支持部材を任意の位置に螺着するための板ナットを挿通するリテイナ溝を設け、且つ該基板の装着面の全幅を覆う略Ｕ字型の透明樹脂カバーを装着する一対の嵌合溝を備えたアルミ形材を照明器具本体とし、該器具本体の端部に開口部を当接して角型の切欠部を設けたエンドキャップを装着し、該角孔を電源コードの挿通孔又は該電源コードのコネクターの装着孔とした棚下照明器具を実現する。【選択図】図２
2010170970.tif 000002
【特許請求の範囲】
【請求項１】
複数のＬＥＤを直線的に配設したテープ状の基板を装着したアルミ形材からなる器具本体と該器具本体の全幅を覆う透明樹脂カバーを備えたショーケース及びディスプレイ棚等の棚下に設置される棚下照明器具に於いて、該器具本体のＬＥＤ基板装着面がへの字型に形成されると共に該透明樹脂カバーが扁平の略Ｕ字型であることを特徴とする棚下照明器具
【請求項２】
アルミ形材からなる器具本体の長手方向に、支持部材を任意の位置に螺着するための板ナットを挿通するリテイナ溝を設けると共に透明樹脂カバーを装着するための一対の嵌合溝を設けたことを特徴とする請求項１の棚下照明器具
【請求項３】
棚下照明器具本体の端部に装着するエンドキャップの一面に、該棚下照明器具本体端部との当接面まで角型の切欠部を設け、電源コードの挿通孔又は該電源コードのコネクターの装着孔としたことを特徴とする請求項１の棚下照明器具
【発明の詳細な説明】
【技術分野】
【０００１】  本発明は、ショーケースやディスプレイ棚等の棚下に設置し、下段に陳列された商品を照らすことを主な目的とする照明器具であって、特にＬＥＤを光源とした棚下照明器具に関するものである。
【背景技術】
【０００２】  棚下照明器具としては細身の蛍光管を光源としたものが主流であったが、蛍光管の発する紫外線や発熱による陳列商品への悪影響、及び水銀を使用する蛍光管の廃棄処理に伴う環境汚染問題等により代替品が求められ、ＬＥＤを光源とする棚下照明器具が注目されるに至った。
【発明の開示】
【発明が解決しようとする課題】
【０００３】  ＬＥＤを光源とする棚下照明器具の棚下への設置が容易で、且つ下段に陳列された商品を効率よく照らす照明器具を提供することを課題とする。
【課題を解決するための手段】
【０００４】  複数のＬＥＤを直線的に配設したテープ状のＬＥＤ基板３の装着面９をへの字型に形成すると共に、長手方向背面部に支持部材を任意の位置に螺着するための板ナット７を挿通するリテイナ溝６を設け、且つ該基板３の装着面９の全幅を覆う扁平の略Ｕ字型透明樹脂カバー４を装着する一対の嵌合溝８を備えたアルミ形材を照明器具本体２とし、該器具本体２の端部に当接する角型の切欠部１０を設けたエンドキャップ５を装着し、該角型の切欠部１０を電源コードの挿通孔又は該電源コードのコネクター１１の装着孔とした棚下照明器具１を実現する。
【発明の効果】
【０００５】    本発明の棚下照明器具１は前述のごとく、透明樹脂カバー４が扁平の略Ｕ字型をなしているため照射角度が広い上、テープ状のＬＥＤ基板３の装着面９がへの字型に形成されており、への字の折れ線をガイドとして二通りの角度にテープ状のＬＥＤ基板３を装着できるため、棚下の手前側に設置する場合は奥へ広く、奥寄りに設置する場合には前側に広く下段の陳列商品を照らすことができる。【０００６】  また、器具本体２の端部に装着されたエンドキャップ５の一面に設けられた角型の切欠部１０は、電源コードの挿通孔であると共に該電源コードのコネクター１１の装着孔となる。【０００７】  さらに設置に当っては、該照明器具本体２に設けたリテイナ溝６に挿入した板ナット７を摺動させることにより各種支持部材を任意の位置に容易に取り付けることができ、ショーケースの棚受ブラケット１６からの吊り下げ式、陳列棚の壁面構成体１７からの片持式、スチール棚へのマグネット式、木棚へのネジ止め式等、様々な設置方法が可能となる。
【発明を実施するための最良の形態】
【０００８】  本発明実施の最良の形態は、テープ状のＬＥＤ基板３の装着面９をへの字型に形成すると共に、長手方向に支持部材を任意の位置に螺着するための板ナット７を挿通するリテイナ溝６を設けたアルミ形材からなる照明器具本体２に、該基板３の装着面９の全幅を覆う扁平の略Ｕ字型ポリカーボネート製透明樹脂カバー４を器具本体２の一対の嵌合溝８に装着すると共に、電源コードのコネクター１１の装着孔となる角型の切欠部１０を一体的に備えたエンドキャップ５を両端に装着した棚下照明器具１である。
【実施例】
【０００９】  以下、本発明の最良の形態である実施例を図面に基づいて説明する。図１は本実施例の棚下照明器具１の構成を示す斜め後方より見た分解斜視図である。本実施例の棚下照明器具１は大別して照明器具本体２とテープ状のＬＥＤ基板３と透明樹脂カバー４及びエンドキャップ５とからなっている。【００１０】  図２は本実施例の棚下照明器具１の完成状態を示す斜め後方より見た斜視図であり、テープ状ＬＥＤ基板３が内包された器具本体２に、透明樹脂カバー４及びエンドキャップ５が装着され、さらに該エンドキャップ５に設けられた一方の角型の切欠部１０には電源コードのコネクター１１が装着されており、また、リテイナ溝６には摺動自在に板ナット７が挿入されている。【００１１】  図３は棚下照明器具１の拡大断面図で、テープ状ＬＥＤ基板３が装着されたアルミ形材の照明器具本体２のリテイナ溝６に板ナット７が挿入され、且つ一対の嵌合溝８に扁平の略Ｕ字型のポリカーボネート製透明樹脂カバー４が装着された状態を示しているものであり、照明器具本体２をアルミ製とするのはＬＥＤ基板３から発する若干の熱を放熱するためであり、透明樹脂カバー４をポリカーボネート製とするのは耐熱、防火のための備えである。【００１２】  図４は棚受ブラケット１６に搭載された棚板１４の前面直下に設置された該照明器具１及び吊り下げ型支持金具１２を示す断面図であり、テープ状ＬＥＤ基板３は下段の陳列商品の奥方を広く照らすよう器具本体２に設けられたへの字型装着面９の手前側に装着されている。【００１３】  図５は特殊形状の壁面構成体１７に直接支持される商品パレット１５の該壁面構成体近くに設置された棚下照明器具１及び片持型支持金具１３を示す断面図であり、テープ状ＬＥＤ基板３は下段の陳列商品の前方を広く照らすよう、への字型装着面９の折れ線の奥側に装着されている。【００１４】  図６は一体的に形成されたエンドキャップ５を示す斜視図である。エンドキャップ５は照明器具本体２の端部に装着する化粧部材であると共に、一面に当接面を開口した角型の切欠部１０が設けられ、該切欠部を電源コードの挿通孔又は電源コードのコネクター１１の装着孔とする該コネクターの係止部材を兼ねる。
【産業上の利用可能性】
【００１５】  ＬＥＤは蛍光管と比較して、長寿命で電力消費量が少ない上、廃棄に際しても水銀等の重金属を使用していないため環境にやさしい光源として将来照明器具の主流になるとされており、特にＬＥＤを光源とする棚下照明器具については発熱が少なく、紫外線をほとんど発しないため陳列商品を劣化させないという特徴が生かされ、照射効率がよく、軽量で様々な設置が容易な本発明の棚下照明器具は店舗、ディスプレイ業界に直ちに広く受け入れられると考える。
【図面の簡単な説明】
【００１６】
【図１】    本実施例の棚下照明器具の構成を示す斜め後方より見た分解斜視図である。
【図２】    本実施例の棚下照明器具の全体を示す斜め後方より見た斜視図である。
【図３】    本実施例の棚下照明器具本体に透明樹脂カバーが装着された状態を示す拡大断面図である。
【図４】    棚受ブラケットに搭載された棚板の前面直下に設置された本実施例の棚下照明器具及び吊り下げ型支持金具を示す断面図である。
【図５】    特殊形状の壁面に支持される商品パレットの壁面近に設置された本実施例の棚下照明器具及び片持式支持金具を示す断面図である。
【図６】    本実施例の棚下照明器具の端部に装着するエンドキャップを示す拡大斜視図である。
【符号の説明】
【００１７】    １    棚下照明器具
２    照明器具本体
３    ＬＥＤ基板
４    透明樹脂カバー
５    エンドキャップ
６    リテイナ溝
７    板ナット
８    嵌合溝
９    への字型装着面
１０    角型の切欠部
１１    電源コードのコネクター
１２    吊り下げ型支持金具
１３    片持型支持金具
１４    棚板
１５    商品パレット
１６    棚受ブラケット
１７    壁面構成体
【図１】
2010170970.tif 000003
【図２】
2010170970.tif 000004
【図３】
2010170970.tif 000005
【図４】
2010170970.tif 000006
【図５】
2010170970.tif 000007
【図６】
2010170970.tif 000008